(57)【要約】【課題】保守作業員が乗りかごの外周上面に乗ったりあるいは昇降路のピットに下りたりすることなく、乗場側の壁に設けた乗場位置表示器の保守作業を乗りかご内で行うことを可能にするエレベーター用乗りかごの提供を目的とする。【解決手段】上記目的は、出入口のそで壁部分に開閉パネル８を設け、この開閉パネル８の背面側を覆う補助パネル１３を設けたエレベーター用の乗りかご４において、前記補助パネル１３に、乗場側の壁１に設けた乗場位置表示器２の保守作業を可能にする開口１４とこの開口１４を覆う開閉可能な作業扉１５とを設けることにより、達成できる。【選択図】      図１
2004149261.tif 000002
【特許請求の範囲】
【請求項１】
出入口のそで壁部分に設けた開閉パネルと、この開閉パネルの背面側を覆う補助パネルとを具備してなるエレベーター用乗りかごにおいて、前記補助パネルに、乗場側の壁に設けた乗場位置表示器の保守作業を可能にする開口とこの開口を覆う開閉可能な作業扉とを設けたことを特徴とするエレベーター用乗りかご。
【請求項２】
前記作業扉の開閉を検出する検出手段を設け、この検出手段により前記作業扉の開状態が検出されたときには、前記乗りかごが誤動作して昇降するのを阻止するようにしたことを特徴とする請求項１記載のエレベーター用乗りかご。
【請求項３】
前記乗りかごが各階の乗場で停止した状態では、乗場側の壁に設けた乗場位置表示器の裏側部分と、前記補助パネルの前記開口部分とが対向するようにしたことを特徴とする請求項１若しくは２記載のエレベーター用乗りかご。
【発明の詳細な説明】
【０００１】
【発明の属する技術分野】
本発明は、乗場側の壁に設けた乗場位置表示器の保守作業をするのに好適なエレベーター用乗りかごに関するものである。
【０００２】
【従来の技術】
従来、エレベーター用乗りかごにおいては、出入口のそで壁部分に設けた開閉パネル（リターンパネル）と、この開閉パネルの背面側を覆う補助パネルとを設けるとともに、その開閉パネルに操作盤等の操作釦を設け、しかも、その開閉パネルに設けた操作盤等の操作釦や配線などの保守作業を行う際、開閉パネルを乗りかご内方に開いた状態とすることにより、その保守作業を乗りかご内で行えるようにしたものが知られていた（例えば、特許文献１参照）。
【０００３】
【特許文献１】
特開平４−１５９９８８号公報（第２頁、第１図）
【０００４】
【発明が解決しようとする課題】
上記従来例のエレベーター用乗りかごでは、各階の乗場側の壁にそれぞれ設けられた乗場位置表示器の保守作業については何らの考慮もされておらず、それら乗場位置表示器のうち、最下階以外の階にある乗場位置表示器の保守作業をする際は、乗りかごの外周上面に乗り込んだ後、その乗りかごを、乗場位置表示器の保守作業を必要とする目的階まで移動させて乗りかごの外周上面で乗場位置表示器の部品交換その他の保守作業を実施しなければならず、保守作業時間が長くかかってしまうとともに、うっかりすると保守作業員が乗りかごの外周上面から落下してしまうという危険性があるという問題点があった。また、最下階にある乗場位置表示器の保守作業をする際は、乗りかごを上方に退避させた後、昇降路内のピットに保守作業員が入り、その後、梯子等を利用して最下階にある乗場位置表示器に手を伸ばしてその乗場位置表示器の部品交換その他の保守作業を実施しなければならず、保守作業時間がより一層長くかかってしまうという問題点があった。
【０００５】
本発明は、上述した従来技術における実状からなされたもので、その目的とするところは、保守作業員が乗りかごの外周上面に乗ったりあるいは昇降路のピットに下りたりすることなく、乗場位置表示器の保守作業を乗りかご内で行うことを可能にするエレベーター用乗りかごを提供することにある。
【０００６】
【課題を解決するための手段】
上記目的を達成するために、本発明は、出入口のそで壁部分に設けた開閉パネルと、この開閉パネルの背面側を覆う補助パネルとを具備してなるエレベーター用乗りかごにおいて、前記補助パネルに、乗場側の壁に設けた乗場位置表示器の保守作業を可能にする開口とこの開口を覆う開閉可能な作業扉とを設ける構成にしたものである。
【０００７】
この構成によれば、乗りかご内で、開閉パネルを開いた後、その開閉パネルの背面側を覆う補助パネルに設けた作業扉を開けば、補助パネルに設けた開口より、乗場位置表示器のランプ交換などの保守作業を行うことができる。
【０００８】
【発明の実施の形態】
以下，本発明の一実施形態を図に基づいて説明する。図１において、  エレベーターにおける各階の乗場側の壁１には、乗場位置表示器２がそれぞれ設けられている。乗場位置表示器２は、ランプ３などを有している。乗場位置表示器２のランプ３などの交換・点検・修理等の保守作業は、乗場側の壁１の裏側面１Ａ、すなわち、エレベーターの昇降路内を昇降する乗りかご４に対向する面側から行えるようにしてある。乗りかご４は、図２に示すように、乗りかご４の出入口に設けたかごドア５や、乗りかご４の出入口のそで壁部分、すなわち、出入口柱６と乗りかご４の内側板７との間に設けた鋼板製の開閉パネル８などを備えている。開閉パネル８には、操作盤等の操作釦９が設けられている。
【０００９】
乗場側の壁１の裏側面１Ａには、乗場ドア１０用の第一敷居１１が設けられている。乗りかご４には、かごドア５用の第二敷居１２が設けられている。乗場ドア１０は、乗場側の壁１に設けた三方枠によって形成された出入口に設けられている。かごドア５は、第二敷居１２に沿って、かつ、乗場ドア１０は、第一敷居１１に沿って、それぞれ水平方向に開閉するようにしてある。
【００１０】
開閉パネル８の背面側を覆う鋼板製の補助パネル１３には、乗場側の壁１に設けた乗場位置表示器２の保守作業を可能にする四角形状の開口１４とこの開口１４を覆う開閉可能な鋼板製の作業扉１５とが設けられている。作業扉１５には、その作業扉１５の開閉を検出する検出手段１６を設け、この検出手段１６により作業扉１５の開状態が検出されたときには、乗りかご４の誤動作を阻止するようにしてある。
【００１１】
乗りかご４が各階の乗場で停止した状態では、乗場位置表示器２の裏側部分２Ａと、補助パネル１３の開口１４部分とが対向するようにしてある。開口１４は、その開口１４から乗場位置表示器２に、保守作業員が手を伸ばして、乗場位置表示器２のランプ３などの交換・点検・修理等の保守作業をするのに十分な開口面積を有している。
【００１２】
補助パネル１３は、乗りかご４の内側板７の支持枠や出入口柱６などを利用して開閉パネル８の背面側を覆うように取り付けられている。開閉パネル８は、一端側８Ａが内側板７側に取り付けられた支持軸１７に回動可能に取り付けられ、かつ、他端側８Ｂが取り外し可能な２個のビス１８により補助パネル１３に取り付けられている。ビス１８は、保守作業員によらなければ、簡単に取り外しできないように工夫すればより好ましい。
【００１３】
作業扉１５は、一端側１５Ａを蝶番１９により補助パネル１３の開口１４周縁に回動可能に取り付けられ、かつ、他端側１５Ｂを固定具２０により補助パネル１３の開口１４周縁に取り付けられることで、開口１４を覆うようにしてある。固定具２０は、ロック用ビス、鍵類などからなっており、保守作業員によらなければ、簡単に取り外しできないように工夫すればより好ましい。
【００１４】
検出手段１６は、補助パネル１３の開口１４周縁に取り付けられて、作業扉１５が開くと乗りかご４を昇降させる電気回路（図示せず）を開放させ、かつ、作業扉１５が閉じると乗りかご４を昇降させる電気回路を閉成させるスイッチ機構からなり、作業扉１５が開いている間は、乗りかご４が昇降しない、すなわち、乗りかご４が誤動作しないようにしてある。
【００１５】
上記構成において、乗場側の壁１に設けた乗場位置表示器２の保守作業をするには、始めに、乗りかご４内に保守作業員が乗り込み、乗りかご４を保守運転させて、各階の乗場側の壁にそれぞれ設けられた乗場位置表示器のうち、保守作業が必要な乗場位置表示器のある階の、エレベーターの乗場に、その乗りかご４を停止させる。その後、乗りかご４内に乗り込んだ保守作業員が、ビス１８を取り除き、乗りかご４内の出入口のそで壁に設けた開閉パネル８を乗りかご４内方に開く。その後、固定具２０を取り除くことで、補助パネル１３に設けた作業扉１５を乗りかご４内方に開き、開口１４より乗りかご４内に乗り込んだ保守作業員が乗場側の壁１に設けた乗場位置表示器２に手を伸ばしてその乗場位置表示器２のランプ交換などの保守作業を行う。その保守作業が終わったならば、作業扉１５を閉じてその作業扉１５を補助パネル１３に固定具２０で固定する。最後に、開閉パネル８を閉じてその開閉パネル８を補助パネル１３にビス１８で固定すればよい。
【００１６】
上記のように、本実施形態の乗りかご４によれば、乗りかご４内に乗り込んだ保守作業員が、乗りかご４内で、乗場側の壁１に設けた乗場位置表示器２の保守作業を行うことができ、保守作業員が乗りかご４の外周上面に乗ったりあるいはピットに下りたりしなくてもよいので、その保守作業を、安全に、かつ、短時間に行うことができる。
【００１７】
しかも、上記本実施形態では、作業扉１５を開いて乗場位置表示器２の保守作業をしている間は、検出手段１６により、乗りかご４が誤動作して昇降することがないので、保守作業員は安心して乗場位置表示器２の保守作業を円滑に行うことができる。
【００１８】
さらに、上記本実施形態では、乗りかご４を各階の乗場で停止させれば、乗場側の壁１に設けた乗場位置表示器２の裏側部分２Ａと、補助パネル１３の開口１４部分とが対向するようにしてあるため、保守作業を必要とする乗場位置表示器２がある階の、エレベーターの乗場に、その乗りかご４を停止させて、開閉パネル８及び補助パネル１３を開くと、補助パネル１３の開口１４部分の前方に乗場位置表示器２の裏側部分２Ａが自動的に臨んでおり、乗りかご４を昇降させて乗りかご４の位置を調整する作業が不必要となるので、乗場位置表示器２の保守作業を円滑に行うことができる。
【００１９】
上記本実施形態では、開閉パネル８に設けられている操作盤等の操作釦９やその配線などの保守作業を、乗場側の壁１に設けた乗場位置表示器２の保守作業と一緒に、乗りかご４内で行うことができ、エレベーターにおける保守作業の安全性及び作業時間の短縮化を大幅に改善することができる。
【００２０】
なお、上記本実施形態において、開閉パネル８あるいは作業扉１５が開いた状態になった時、乗場位置表示器２の保守作業中である旨を、報知器あるいは表示器で、エレベーターの乗客等に知らせるようにしてもよいし、作業扉１５を蛇腹式の構造にしてもよい。
【００２１】
【発明の効果】
本発明によれば、保守作業員が乗りかごの外周上面に乗ったりあるいは昇降路のピットに下りたりしなくとも、乗りかご内で乗場側の壁に設けた乗場位置表示器の保守作業を行うことができ、保守作業の安全性の向上及び作業時間の短縮化を可能にするエレベーター用乗りかごがえられる。
【図面の簡単な説明】
【図１】本発明の一実施形態を示す、乗りかごと乗場の要部横断面拡大図である。
【図２】本発明の一実施形態を示す、乗りかご内面の要部概略図である。
【符号の説明】
１    乗場側の壁
２    乗場位置表示器
３    ランプ
４    乗りかご
５    かごドア
６    出入口柱
７    内側板
８    開閉パネル
９    操作釦
１０  乗場ドア
１１  第一敷居
１２  第二敷居
１３  補助パネル
１４  開口
１５  作業扉
１６  検出手段
１７  支持軸
１８  ビス
１９  蝶番
２０  固定具
【図１】
2004149261.tif 000003
【図２】
2004149261.tif 000004